(57)【特許請求の範囲】
【請求項１】
オーディオ信号のビットレートとサンプリング周波数とに基づいて圧縮率を算出するステップと、前記オーディオ信号の左チャンネル信号および右チャンネル信号について和信号および差信号を生成するステップと、前記差信号のエネルギに対する前記和信号のエネルギの比を算出するステップと、前記エネルギの比を、前記圧縮率に基づいて決定した閾値と比較するステップと、前記エネルギの比が前記閾値より大きいときにのみ強度ステレオ処理を行うステップとを備えたことを特徴とするオーディオ信号符号化方法。
【請求項２】
オーディオ信号のビットレートとサンプリング周波数とに基づいて圧縮率を算出するステップと、前記オーディオ信号の左チャンネル信号および右チャンネル信号について和信号および差信号を生成するステップと、前記差信号のエネルギに対する前記和信号のエネルギの比を算出するステップと、前記エネルギの比を、前記圧縮率に基づいて決定した閾値と比較するステップと、前記エネルギの比が前記閾値より大きいときにのみ和差ステレオ処理を行うステップとを備えたことを特徴とするオーディオ信号符号化方法。
【請求項３】
オーディオ信号のビットレートとサンプリング周波数とに基づいて圧縮率を算出する圧縮率算出手段と、前記オーディオ信号の左チャンネル信号と右チャンネル信号の和信号を生成する和信号生成手段と、前記オーディオ信号の左チャンネル信号と右チャンネル信号の差信号を生成する差信号生成手段と、前記和信号のエネルギを算出する和信号エネルギ算出手段と、前記差信号のエネルギを算出する差信号エネルギ算出手段と、前記和信号のエネルギと前記差信号のエネルギの比を算出するエネルギ比算出手段と、前記エネルギの比を前記圧縮率に基づいて決定した閾値と比較し、強度ステレオ処理を行うか否かを判定する判定手段と、前記判定の結果に基づいて強度ステレオ処理を行う強度ステレオ処理手段とを備えたことを特徴とするオーディオ信号符号化装置。
【請求項４】
オーディオ信号のビットレートとサンプリング周波数とに基づいて圧縮率を算出する圧縮率算出手段と、前記オーディオ信号の左チャンネル信号と右チャンネル信号の和信号を生成する和信号生成手段と、前記オーディオ信号の左チャンネル信号と右チャンネル信号の差信号を生成する差信号生成手段と、前記和信号のエネルギを算出する和信号エネルギ算出手段と、前記差信号のエネルギを算出する差信号エネルギ算出手段と、前記和信号のエネルギと前記差信号のエネルギの比を算出するエネルギ比算出手段と、前記エネルギの比を前記圧縮率に基づいて決定した閾値と比較し、和差ステレオ処理を行うか否かを判定する判定手段と、前記判定の結果に基づいて和差ステレオ処理を行う和差ステレオ処理手段とを備えたことを特徴とするオーディオ信号符号化装置。
【発明の詳細な説明】
【０００１】
【発明の属する技術分野】
本発明は、オーディオ信号を伝送するための符号化に関するものである。
【０００２】
【従来の技術】
従来、図８に示すような方法でオーディオ信号符号化を行っていた。このオーディオ信号符号化はＭＰＥＧ（Motion Picture Experts Group）が策定したＭＰＥＧ２ＡＡＣ（Advanced Audio Coding）にしたがって符号化を行っている。図８において、窓長選択処理ステップ（Ｓ８０１）は入力したオーディオ信号の時間的変動を監視し、時間分解能と周波数分解能のいずれを重視するかを判定する。聴覚心理モデルステップ（Ｓ８０２）は入力オーディオ信号を人間の聴覚特性に従って分析し、量子化ノイズの許容量を算出する。ＭＤＣＴフィルタステップ（Ｓ８０３）は入力したオーディオ信号を所定の帯域に分割する。なお、ＭＤＣＴ（Modified Discrete Cosine Transfer）は、変形離散コサイン変換である。強度ステレオ処理ステップ（Ｓ８０４）は大きい帯域における信号を音の定位方向と強さの情報のみに圧縮する。和差ステレオ処理ステップ（Ｓ８０５）は小さい帯域における左チャンネル信号と右チャンネル信号の和信号および差信号を、左チャンネル信号および右チャンネル信号に置き換える。量子化ステップ（Ｓ８０６）は以上の処理が施された信号を量子化する。ストリーム生成ステップ（Ｓ８０７）は量子化処理の出力と制御情報を多重化し、ビットストリームとして整形する。以上のようなステップを備えたオーディオ信号符号化方法によって、入力されたオーディオ信号を符号化し、伝送するようになっていた。
【０００３】
【発明が解決しようとする課題】
しかしながら、このような従来のオーディオ信号符号化方法は、圧縮率が低くても構わない場合においても、強度ステレオ処理および和差ステレオ処理を行うようになっていたため、音像定位が劣化するという問題があった。
【０００４】
また、強度ステレオ処理および和差ステレオ処理の効果は入力信号の特性に依存するため、音像定位が揺れてしまうという問題があった。
【０００５】
本発明は、このような問題を解決するためになされたもので、音質の劣化が少ない優れたオーディオ信号符号化方法およびオーディオ信号符号化装置を提供するものである。
【０００６】
【課題を解決するための手段】
本発明のオーディオ信号符号化方法は、オーディオ信号のビットレートとサンプリング周波数とに基づいて圧縮率を算出するステップと、前記圧縮率を所定の値と比較するステップと、前記圧縮率が所定の値より大きいときにのみ強度ステレオ処理を行うステップとを備えた構成を有している。この構成により、圧縮率が大きいときにのみ強度ステレオ処理を行うので、圧縮率が小さいときの音像定位の劣化を抑えることができることとなる。
【０００７】
本発明のオーディオ信号符号化方法は、オーディオ信号のビットレートとサンプリング周波数とに基づいて圧縮率を算出するステップと、前記圧縮率を所定の値と比較するステップと、前記圧縮率が所定の値より大きいときにのみ和差ステレオ処理を行うステップとを備えた構成を有している。この構成により、圧縮率が大きいときにのみ和差ステレオ処理を行うので、圧縮率が小さいときの音像定位の劣化を抑えることができることとなる。
【０００８】
本発明のオーディオ信号符号化方法は、オーディオ信号の左チャンネル信号および右チャンネル信号について和信号および差信号を生成するステップと、前記差信号のエネルギに対する前記和信号のエネルギの比を算出するステップと、前記エネルギの比を所定の値と比較するステップと、前記エネルギの比が所定の値より大きいときにのみ強度ステレオ処理を行うステップとを備えた構成を有している。この構成により、左チャンネル信号と右チャンネル信号の相関が大きいときにのみ強度ステレオ処理を行うので、音像定位の揺れを抑えることができることとなる。
【０００９】
本発明のオーディオ信号符号化方法は、オーディオ信号の左チャンネル信号および右チャンネル信号について和信号および差信号を生成するステップと、前記差信号のエネルギに対する前記和信号のエネルギの比を算出するステップと、前記エネルギの比を所定の値と比較するステップと、前記エネルギの比が所定の値より大きいときにのみ和差ステレオ処理を行うステップとを備えた構成を有している。この構成により、左チャンネル信号と右チャンネル信号の相関が大きいときにのみ和差ステレオ処理を行うので、音像定位の揺れを抑えることができることとなる。
【００１０】
本発明のオーディオ信号符号化方法は、オーディオ信号のビットレートとサンプリング周波数とに基づいて圧縮率を算出するステップと、前記オーディオ信号の左チャンネル信号および右チャンネル信号について和信号および差信号を生成するステップと、前記差信号のエネルギに対する前記和信号のエネルギの比を算出するステップと、前記エネルギの比を、前記圧縮率に基づいて決定した閾値と比較するステップと、前記エネルギの比が前記閾値より大きいときにのみ強度ステレオ処理を行うステップとを備えた構成を有している。この構成により、左チャンネル信号と右チャンネル信号の相関が大きいときにのみ強度ステレオ処理を行うので、音像定位の揺れを抑えることができることとなる。
【００１１】
本発明のオーディオ信号符号化方法は、オーディオ信号のビットレートとサンプリング周波数とに基づいて圧縮率を算出するステップと、前記オーディオ信号の左チャンネル信号および右チャンネル信号について和信号および差信号を生成するステップと、前記差信号のエネルギに対する前記和信号のエネルギの比を算出するステップと、前記エネルギの比を、前記圧縮率に基づいて決定した閾値と比較するステップと、前記エネルギの比が前記閾値より大きいときにのみ和差ステレオ処理を行うステップとを備えた構成を有している。この構成により、左チャンネル信号と右チャンネル信号の相関が大きいときにのみ和差ステレオ処理を行うので、音像定位の揺れを抑えることができることとなる。
【００１２】
本発明のオーディオ信号符号化装置は、オーディオ信号のビットレートとサンプリング周波数とに基づいて圧縮率を算出する圧縮率算出手段と、前記圧縮率に基づいて強度ステレオ処理を行うか否かを判定する判定手段と、前記判定の結果に基づいて強度ステレオ処理を行う強度ステレオ処理手段とを備えた構成を有している。この構成により、圧縮率に基づいて強度ステレオ処理を行うので、圧縮率が小さいときの音像定位の劣化を抑えるようにすることができることとなる。
【００１３】
本発明のオーディオ信号符号化装置は、オーディオ信号のビットレートとサンプリング周波数とに基づいて圧縮率を算出する圧縮率算出手段と、前記圧縮率に基づいて和差ステレオ処理を行うか否かを判定する判定手段と、前記判定の結果に基づいて和差ステレオ処理を行う和差ステレオ処理手段とを備えた構成を有している。この構成により、圧縮率に基づいて和差ステレオ処理を行うので、圧縮率が小さいときの音像定位の劣化を抑えるようにすることができることとなる。
【００１４】
本発明のオーディオ信号符号化装置は、オーディオ信号の左チャンネル信号と右チャンネル信号の和信号を生成する和信号生成手段と、前記オーディオ信号の左チャンネル信号と右チャンネル信号の差信号を生成する差信号生成手段と、前記和信号のエネルギを算出する和信号エネルギ算出手段と、前記差信号のエネルギを算出する差信号エネルギ算出手段と、前記和信号のエネルギと前記差信号のエネルギの比を算出するエネルギ比算出手段と、前記エネルギの比に基づいて強度ステレオ処理を行うか否かを判定する判定手段と、前記判定の結果に基づいて強度ステレオ処理を行う強度ステレオ処理手段とを備えた構成を有している。この構成により、左チャンネル信号と右チャンネル信号の相関に基づいて強度ステレオ処理を行うので、音像定位の揺れを抑えるようにすることができることとなる。
【００１５】
本発明のオーディオ信号符号化装置は、オーディオ信号の左チャンネル信号と右チャンネル信号の和信号を生成する和信号生成手段と、前記オーディオ信号の左チャンネル信号と右チャンネル信号の差信号を生成する差信号生成手段と、前記和信号のエネルギを算出する和信号エネルギ算出手段と、前記差信号のエネルギを算出する差信号エネルギ算出手段と、前記和信号のエネルギと前記差信号のエネルギの比を算出するエネルギ比算出手段と、前記エネルギの比に基づいて和差ステレオ処理を行うか否かを判定する判定手段と、前記判定の結果に基づいて和差ステレオ処理を行う和差ステレオ処理手段とを備えた構成を有している。この構成により、左チャンネル信号と右チャンネル信号の相関に基づいて和差ステレオ処理を行うので、音像定位の揺れを抑えるようにすることができることとなる。
【００１６】
本発明のオーディオ信号符号化装置は、オーディオ信号のビットレートとサンプリング周波数とに基づいて圧縮率を算出する圧縮率算出手段と、前記オーディオ信号の左チャンネル信号と右チャンネル信号の和信号を生成する和信号生成手段と、前記オーディオ信号の左チャンネル信号と右チャンネル信号の差信号を生成する差信号生成手段と、前記和信号のエネルギを算出する和信号エネルギ算出手段と、前記差信号のエネルギを算出する差信号エネルギ算出手段と、前記和信号のエネルギと前記差信号のエネルギの比を算出するエネルギ比算出手段と、前記エネルギの比を前記圧縮率に基づいて決定した閾値と比較し、強度ステレオ処理を行うか否かを判定する判定手段と、前記判定の結果に基づいて強度ステレオ処理を行う強度ステレオ処理手段とを備えた構成を有している。この構成により、左チャンネル信号と右チャンネル信号の相関に基づいて強度ステレオ処理を行うので、音像定位の揺れを抑えるようにすることができることとなる。
【００１７】
本発明のオーディオ信号符号化装置は、オーディオ信号のビットレートとサンプリング周波数とに基づいて圧縮率を算出する圧縮率算出手段と、前記オーディオ信号の左チャンネル信号と右チャンネル信号の和信号を生成する和信号生成手段と、前記オーディオ信号の左チャンネル信号と右チャンネル信号の差信号を生成する差信号生成手段と、前記和信号のエネルギを算出する和信号エネルギ算出手段と、前記差信号のエネルギを算出する差信号エネルギ算出手段と、前記和信号のエネルギと前記差信号のエネルギの比を算出するエネルギ比算出手段と、前記エネルギの比を前記圧縮率に基づいて決定した閾値と比較し、和差ステレオ処理を行うか否かを判定する判定手段と、前記判定の結果に基づいて和差ステレオ処理を行う和差ステレオ処理手段とを備えた構成を有している。この構成により、左チャンネル信号と右チャンネル信号の相関に基づいて和差ステレオ処理を行うので、音像定位の揺れを抑えるようにすることができることとなる。
【００１８】
【発明の実施形態】
以下、本発明の実施形態について、図面を用いて説明する。
【００１９】
（第１実施形態）
図１は本実施形態におけるオーディオ信号符号化方法を示すフローチャートである。図１において、窓長選択処理ステップ（Ｓ１０１）は入力したオーディオ信号の時間的変動を監視し、時間分解能と周波数分解能のいずれを重視するかを判定する。聴覚心理モデルステップ（Ｓ１０２）は入力オーディオ信号を人間の聴覚特性に従って分析し、量子化ノイズの許容量を算出する。ＭＤＣＴフィルタステップ（Ｓ１０３）は入力したオーディオ信号を所定の帯域に分割する。なお、ＭＤＣＴ（Modified Discrete Cosine Transfer）は、変形離散コサイン変換である。負荷判定ステップ（Ｓ１０４）は負荷を判定する。強度ステレオ処理ステップ（Ｓ１０５）は大きい帯域における信号を音の定位方向と強さの情報のみに圧縮する。和差ステレオ処理ステップ（Ｓ１０６）は小さい帯域における左チャンネル信号と右チャンネル信号の和信号および差信号を、左チャンネル信号および右チャンネル信号に置き換える。量子化ステップ（Ｓ１０７）は以上の処理が施された信号を量子化する。ストリーム生成ステップ（Ｓ１０８）は量子化ステップの出力と制御情報を多重化し、ビットストリームとして整形する。
【００２０】
本実施形態におけるオーディオ信号符号化方法の負荷判定について、図２を用いてその動作を説明する。まず、オーディオ信号のビットレートに対するサンプリング周波数の比を算出する（Ｓ２０１）。ここで、具体的には、圧縮率を算出するようになっており、圧縮率＝量子化ビット数×サンプリング周波数×チャンネル数／ビットレートである。ここで、サンプリング周波数は、図１の窓長選択処理（Ｓ１０１）が入力したオーディオ信号のサンプリング周波数である。また、ビットレートは、生成されるビットストリームのビットレートであって、すなわち、図１のストリーム生成処理（Ｓ１０８）が出力するビットストリームの所定のビットレートである。なお、量子化ビット数（例えば１６ｂｉｔ）、および、チャンネル数（左チャンネルと右チャンネルで合計が２）は固定値であるから、量子化ビット数およびチャンネル数は無視し、圧縮率＝サンプリング周波数／ビットレートとして算出するようにしてもよい。次に、算出した圧縮率と予め記憶した所定の値とを比較する（Ｓ２０２）。ここで、ビットレートに対するサンプリング周波数の比が、所定の値より大きいとき、強度ステレオフラグを立てて強度ステレオ処理を許可し（Ｓ２０４）、所定の値より小さいとき、強度ステレオフラグを消して強度ステレオ処理を禁止する（Ｓ２０３）。したがって、図１の強度ステレオ処理ステップ（Ｓ１０５）は、オーディオ信号の圧縮率が所定の値より大きいときのみ強度ステレオ処理を行う。
【００２１】
以上のように、本実施形態は、圧縮率が大きいときにのみ強度ステレオ処理を行うようになっているので、高音質の符号化を行うことができることとなる。
【００２２】
（第２実施形態）
図１は本実施形態におけるオーディオ信号符号化方法を示すフローチャート図である。なお、本実施形態において、負荷判定ステップ（Ｓ１０４）以外の構成要件は、第１実施形態と名称および動作が同じであり、第１実施形態において説明したので、説明を省略する。
【００２３】
本実施形態におけるオーディオ信号符号化方法の負荷判定について、図３を用いてその動作を説明する。まず、オーディオ信号のビットレートに対するサンプリング周波数の比を算出する（Ｓ３０１）。ここで、具体的には、圧縮率を算出するようになっており、圧縮率＝量子化ビット数×サンプリング周波数×チャンネル数／ビットレートである。ここで、サンプリング周波数は、図１の窓長選択処理（Ｓ１０１）が入力したオーディオ信号のサンプリング周波数である。また、ビットレートは、生成されるビットストリームのビットレートであって、すなわち、図１のストリーム生成処理（Ｓ１０８）が出力するビットストリームの所定のビットレートである。なお、量子化ビット数（例えば１６ｂｉｔ）、および、チャンネル数（左チャンネルと右チャンネルで合計が２）は固定値であるから、量子化ビット数およびチャンネル数は無視し、圧縮率＝サンプリング周波数／ビットレートとして算出するようにしてもよい。次に、算出した圧縮率と予め記憶した所定の値とを比較する（Ｓ３０２）。ここで、ビットレートに対するサンプリング周波数の比が、所定の値より大きいとき、和差ステレオフラグを立てて和差ステレオ処理を許可し（Ｓ３０３）、所定の値より小さいとき、和差ステレオフラグを消して和差ステレオ処理を禁止する（Ｓ３０４）。したがって、図１の和差ステレオ処理ステップ（Ｓ１０６）は、オーディオ信号の圧縮率が所定の値より大きいときのみ和差ステレオ処理を行う。
【００２４】
以上のように、本実施形態は、圧縮率が大きいときにのみ和差ステレオ処理を行うようになっているので、高音質の符号化を行うことができることとなる。
【００２５】
（第３実施形態）
図１は本実施形態におけるオーディオ信号符号化方法を示すフローチャートである。なお、本実施形態において、負荷判定ステップ（Ｓ１０４）以外の構成要件は、第１実施形態と名称および動作が同じであり、第１実施形態において説明したので、説明を省略する。
【００２６】
本実施形態におけるオーディオ信号符号化方法の負荷判定について、図４を用いてその動作を説明する。まず、左チャンネル信号と右チャンネル信号の和信号および差信号を生成する（Ｓ４０１）。次に、和信号のエネルギおよび差信号のエネルギを算出する（Ｓ４０２）。ここで、エネルギは、スペクトルにおける各成分の振幅の二乗を総和し、算出する。次に、差信号のエネルギに対する和信号のエネルギの比（エネルギ比）を算出し（Ｓ４０３）、エネルギ比を所定の値と比較する（Ｓ４０４）。ここで、エネルギ比が所定の値より大きいとき、強度ステレオフラグを立てて強度ステレオ処理を許可し（Ｓ４０６）、エネルギ比が所定の値より大きくないとき、強度ステレオフラグを消して強度ステレオ処理を禁止する（Ｓ４０５）。したがって、図１の強度ステレオ処理ステップ（Ｓ１０５）は、左右の信号の相関が大きいときのみ強度ステレオ処理を行う。
【００２７】
以上のように、本実施形態は、左右の信号の相関が大きいときにのみ強度ステレオ処理を行うようになっているので、高音質の符号化を行うことができることとなる。
【００２８】
（第４実施形態）
図１は本実施形態におけるオーディオ信号符号化方法を示すフローチャートである。なお、本実施形態において、負荷判定ステップ（Ｓ１０４）以外の構成要件は、第１実施形態と名称および動作が同じであり、第１実施形態において説明したので、説明を省略する。
【００２９】
本実施形態におけるオーディオ信号符号化方法の負荷判定について、図５を用いてその動作を説明する。まず、左チャンネル信号と右チャンネル信号の和信号および差信号を生成する（Ｓ５０１）。次に、和信号のエネルギおよび差信号のエネルギを算出する（Ｓ５０２）。ここで、エネルギは、スペクトルにおける各成分の振幅の二乗を総和し、算出する。次に、差信号のエネルギに対する和信号のエネルギの比（エネルギ比）を算出し（Ｓ５０３）、エネルギ比を所定の値と比較する。ここで、エネルギ比が所定の値より大きいとき、和差ステレオフラグを立てて和差ステレオ処理を許可し（Ｓ５０６）、エネルギ比が所定の値より大きくないとき、和差ステレオフラグを消して和差ステレオ処理を禁止する（Ｓ５０５）。したがって、図１の和差ステレオ処理ステップ（Ｓ１０６）は、左右の信号の相関が大きいときのみ和差ステレオ処理を行う。
【００３０】
以上のように、本実施形態は、左右の信号の相関が大きいときにのみ和差ステレオ処理を行うようになっているので、高音質の符号化を行うことができることとなる。
【００３１】
（第５実施形態）
図１は本実施形態におけるオーディオ信号符号化方法を示すフローチャートである。なお、本実施形態において、負荷判定ステップ（Ｓ１０４）以外の構成要件は、第１実施形態と名称および動作が同じであり、第１実施形態において説明したので、説明を省略する。
【００３２】
本実施形態におけるオーディオ信号符号化方法の負荷判定について、図６を用いてその動作を説明する。まず、オーディオ信号のビットレートに対するサンプリング周波数の比を算出する（Ｓ６０１）。ここで、具体的には、圧縮率を算出するようになっており、圧縮率＝量子化ビット数×サンプリング周波数×チャンネル数／ビットレートである。ここで、サンプリング周波数は、図１の窓長選択処理（Ｓ１０１）が入力したオーディオ信号のサンプリング周波数である。また、ビットレートは、生成されるビットストリームのビットレートであって、すなわち、図１のストリーム生成処理（Ｓ１０８）が出力するビットストリームの所定のビットレートである。なお、量子化ビット数（例えば１６ｂｉｔ）、および、チャンネル数（左チャンネルと右チャンネルで合計が２）は固定値であるから、量子化ビット数およびチャンネル数は無視し、圧縮率＝サンプリング周波数／ビットレートとして算出するようにしてもよい。次に、ビットレートに対するサンプリング周波数の比から判定閾値を決定する（Ｓ６０２）。なお、判定閾値は、圧縮率が所定の値より小さいときの閾値（第１の閾値）を、圧縮率が所定の値より大きいときの閾値（第２の閾値）より大きくする。また、オーディオ信号の左チャンネル信号と右チャンネル信号の和信号および差信号を生成する（Ｓ６０３）。次に、和信号と差信号のエネルギを算出する（Ｓ６０４）。ここで、エネルギは、スペクトルにおける各成分の振幅の二乗を総和し、算出する。次に、差信号のエネルギに対する和信号のエネルギの比（エネルギ比）を算出し（Ｓ６０５）、算出したエネルギ比を、Ｓ６０２のステップが圧縮率に基づいて決定した判定閾値と比較する（Ｓ６０６）。ここで、エネルギ比が判定閾値より大きいとき、強度ステレオフラグを立てて強度ステレオ処理を許可し（Ｓ６０７）、エネルギ比が判定閾値より大きくないとき、強度ステレオフラグを消して強度ステレオ処理を禁止する（Ｓ６０８）。したがって、図１の強度ステレオ処理ステップ（Ｓ１０５）は、差信号のエネルギに対する和信号のエネルギの比が閾値より大きいときのみ強度ステレオ処理を行う。
【００３３】
以上のように、本実施形態は、差信号のエネルギに対する和信号のエネルギの比を、圧縮率に基づいて決定した閾値と比較するようになっているので、圧縮率が小さい場合、エネルギ比が非常に大きいときのみ強度ステレオ処理を行い、圧縮率が大きい場合、エネルギ比が多少小さくても強度ステレオ処理を行うようにすることができ、高音質の符号化を行うことができることとなる。
【００３４】
（第６実施形態）
図１は本実施形態におけるオーディオ信号符号化方法を示すフローチャートである。なお、本実施形態において、負荷判定ステップ（Ｓ１０４）以外の構成要件は、第１実施形態と名称および動作が同じであり、第１実施形態において説明したので、説明を省略する。
【００３５】
本実施形態におけるオーディオ信号符号化方法の負荷判定について、図７を用いてその動作を説明する。まず、オーディオ信号のビットレートに対するサンプリング周波数の比を算出する（Ｓ７０１）。ここで、具体的には、圧縮率を算出するようになっており、圧縮率＝量子化ビット数×サンプリング周波数×チャンネル数／ビットレートである。ここで、サンプリング周波数は、図１の窓長選択処理（Ｓ１０１）が入力したオーディオ信号のサンプリング周波数である。また、ビットレートは、生成されるビットストリームのビットレートであって、すなわち、図１のストリーム生成処理（Ｓ１０８）が出力するビットストリームの所定のビットレートである。なお、量子化ビット数（例えば１６ｂｉｔ）、および、チャンネル数（左チャンネルと右チャンネルで合計が２）は固定値であるから、量子化ビット数およびチャンネル数は無視し、圧縮率＝サンプリング周波数／ビットレートとして算出するようにしてもよい。次に、ビットレートに対するサンプリング周波数の比から判定閾値を決定する（Ｓ７０２）。なお、判定閾値は、圧縮率が所定の値より小さいときの閾値（第１の閾値）を、圧縮率が所定の値より大きいときの閾値（第２の閾値）より大きくする。また、オーディオ信号の左チャンネル信号と右チャンネル信号の和信号および差信号を生成する（Ｓ７０３）。次に、和信号と差信号のエネルギを算出する（Ｓ７０４）。ここで、エネルギは、スペクトルにおける各成分の振幅の二乗を総和し、算出する。次に、差信号のエネルギに対する和信号のエネルギの比（エネルギ比）を算出し（Ｓ７０５）、算出したエネルギ比を、Ｓ７０２のステップが圧縮率に基づいて決定した判定閾値と比較する（Ｓ７０６）。ここで、エネルギ比が判定閾値より大きいとき、和差ステレオフラグを立てて和差ステレオ処理を許可し（Ｓ７０７）、エネルギ比が判定閾値より大きくないとき、和差ステレオフラグを消して和差ステレオ処理を禁止する（Ｓ７０８）。したがって、図１の和差ステレオ処理ステップ（Ｓ１０６）は、差信号のエネルギに対する和信号のエネルギの比が閾値より大きいときのみ和差ステレオ処理を行う。
【００３６】
以上のように、本実施形態は、差信号のエネルギに対する和信号のエネルギの比を、圧縮率に基づいて決定した閾値と比較するようになっているので、圧縮率が小さい場合、エネルギ比が非常に大きいときのみ強度ステレオ処理を行い、圧縮率が大きい場合、エネルギ比が多少小さくても強度ステレオ処理を行うようにすることができ、高音質の符号化を行うことができることとなる。
【００３７】
（第７実施形態）
図９は本実施形態におけるオーディオ信号符号化装置を示すブロック図である。図９において、窓長選択手段９０１は入力したオーディオ信号の時間的変動を監視し、時間分解能と周波数分解能のいずれを重視するかを判定するものである。聴覚心理モデル９０２は入力オーディオ信号を人間の聴覚特性に従って分析し、量子化ノイズの許容量を算出するものである。ＭＤＣＴフィルタ９０３は入力したオーディオ信号を所定の帯域に分割するものである。なお、ＭＤＣＴ（Modified Discrete Cosine Transfer）は、変形離散コサイン変換である。負荷判定手段９０４は負荷を判定するものである。強度ステレオ処理手段９０５は大きい帯域における信号を音の定位方向と強さの情報のみに圧縮するものである。和差ステレオ処理手段９０６は小さい帯域における左チャンネル信号と右チャンネル信号の和信号および差信号を、左チャンネル信号および右チャンネル信号に置き換えるものである。量子化手段９０７は以上の処理が施された信号を量子化するものである。ストリーム生成手段９０８は量子化手段の出力と制御情報を多重化し、ビットストリームとして整形するものである。
【００３８】
図１０は図９の負荷判定手段９０４を示すブロック図である。図１０において、圧縮率算出手段１００１はオーディオ信号のビットレートに対するサンプリング周波数の比（圧縮率）を算出するものである。判定手段１００２は圧縮率算出手段１００１が算出した圧縮率と閾値記憶手段１００４が予め記憶した所定の値とを比較して強度ステレオ処理を実行するか否かを判定するものである。強度ステレオフラグ制御手段１００３は強度ステレオ処理の動作を制御する強度ステレオフラグ（強度ステレオ処理を行うか行わないかを示すフラグ）を操作するものである。
【００３９】
以上のように構成された本実施形態のオーディオ信号符号化装置の負荷判定について、図１０を用いてその動作を説明する。まず、圧縮率算出手段１１０１は、オーディオ信号のビットレートとサンプリング周波数の値を入力し、ビットレートとサンプリング周波数とに基づいて圧縮率を算出する。具体的には、圧縮率＝量子化ビット数×サンプリング周波数×チャンネル数／ビットレートとして算出する。ここで、サンプリング周波数は、オーディオ信号符号化装置が外部から入力するオーディオ信号のサンプリングの周波数であって、すなわち、図９の窓長選択手段９０１が入力するオーディオ信号のサンプリング周波数である。また、ビットレートは、生成されるビットストリームのビットレートであって、すなわち、図９のストリーム生成手段９０８が出力するビットストリームの所定のビットレートである。なお、量子化ビット数（例えば１６ｂｉｔ）、および、チャンネル数（左チャンネルと右チャンネルで合計が２）は固定値であるから、量子化ビット数およびチャンネル数は無視し、圧縮率＝サンプリング周波数／ビットレートとして算出するようにしてもよい。次に、判定手段１００２は圧縮率算出手段１００１が算出した圧縮率に基づいて強度ステレオ処理を実行するか否かを判定する。具体的には、圧縮率が所定の値より大きいとき、強度ステレオ処理を実行すると判定し、所定の値より大きくないとき、強度ステレオ処理を実行しないと判定する。次に、強度ステレオフラグ制御手段１００３は、強度ステレオ処理を実行するときは強度ステレオフラグを立て、実行しないときは強度ステレオフラグを消す。したがって、図９の強度ステレオ処理手段９０５は、オーディオ信号の圧縮率が所定の値より大きいときのみ強度ステレオ処理を行う。
【００４０】
以上のように、本実施形態は、圧縮率が大きいときにのみ強度ステレオ処理を行うようになっているので、高音質の符号化を行うことができることとなる。
【００４１】
（第８実施形態）
図９は本実施形態におけるオーディオ信号符号化装置を示すブロック図である。なお、本実施形態において、負荷判定手段９０４以外の構成要件は、第７実施形態と名称および動作が同じであり、第７実施形態において説明したので、説明を省略する。
【００４２】
図１１は図９の負荷判定手段９０４を示すブロック図である。図１１において、圧縮率算出手段１１０１はオーディオ信号のビットレートに対するサンプリング周波数の比（圧縮率）を算出するものである。判定手段１１０２は圧縮率算出手段１００１が算出した圧縮率と閾値記憶手段１１０４が予め記憶した所定の値とを比較して和差ステレオ処理を実行するか否かを判定するものである。和差ステレオフラグ制御手段１１０３は和差ステレオ処理の動作を制御する和差ステレオフラグ（和差ステレオ処理を行うか行わないかを示すフラグ）を操作するものである。
【００４３】
以上のように構成された本実施形態のオーディオ信号符号化装置の負荷判定について、図１１を用いてその動作を説明する。まず、圧縮率算出手段１００１は、オーディオ信号のビットレートとサンプリング周波数の値を入力し、ビットレートとサンプリング周波数とに基づいて圧縮率を算出する。具体的には、圧縮率＝量子化ビット数×サンプリング周波数×チャンネル数／ビットレートとして算出する。ここで、サンプリング周波数は、オーディオ信号符号化装置が外部から入力するオーディオ信号のサンプリングの周波数であって、すなわち、図９の窓長選択手段９０１が入力するオーディオ信号のサンプリング周波数である。また、ビットレートは、生成されるビットストリームのビットレートであって、すなわち、図９のストリーム生成手段１０８が出力するビットストリームの所定のビットレートである。なお、量子化ビット数（例えば１６ｂｉｔ）、および、チャンネル数（左チャンネルと右チャンネルで合計が２）は固定値であるから、量子化ビット数およびチャンネル数は無視し、圧縮率＝サンプリング周波数／ビットレートとして算出するようにしてもよい。次に、判定手段１１０２は圧縮率算出手段１１０１が算出した圧縮率に基づいて和差ステレオ処理を実行するか否かを判定する。具体的には、圧縮率が所定の値より大きいとき、和差ステレオ処理を実行すると判定し、所定の値より大きくないとき、和差ステレオ処理を実行しないと判定する。次に、和差ステレオフラグ制御手段１１０３は、和差ステレオ処理を実行するときは和差ステレオフラグを立て、実行しないときは和差ステレオフラグを消す。したがって、図９の和差ステレオ処理手段９０６は、オーディオ信号の圧縮率が所定の値より大きいときのみ和差ステレオ処理を行う。
【００４４】
以上のように、本実施形態は、圧縮率が大きいときにのみ和差ステレオ処理を行うようになっているので、高音質の符号化を行うことができることとなる。
【００４５】
（第９実施形態）
図９は本実施形態におけるオーディオ信号符号化装置を示すブロック図である。なお、本実施形態において、負荷判定手段９０４以外の構成要件は、第７実施形態と名称および動作が同じであり、第７実施形態において説明したので、説明を省略する。
【００４６】
図１２は図９の負荷判定手段９０４を示すブロック図である。図１２において、和信号生成手段１２０１は左チャンネル信号と右チャンネル信号の和信号を生成するものである。差信号生成手段１２０２は左チャンネル信号と右チャンネル信号の差信号を生成するものである。和信号エネルギ算出手段１２０３は和信号のエネルギを算出するものである。差信号エネルギ算出手段１２０４は差信号のエネルギを算出するものである。エネルギ比算出手段１２０５は和信号と差信号のエネルギの比を算出するものである。判定手段１２０６はエネルギ比算出手段１２０５が算出したエネルギ比と閾値記憶手段１２０８が予め記憶した所定の値とを比較して強度ステレオ処理を実行するか否かを判定するものである。強度ステレオフラグ制御手段１２０７は強度ステレオ処理の動作を制御する強度ステレオフラグ（強度ステレオ処理を行うか行わないかを示すフラグ）を操作するものである。
【００４７】
以上のように構成された本実施形態のオーディオ信号符号化装置の負荷判定について、図１２を用いてその動作を説明する。まず、和信号生成手段１２０１は左チャンネル信号と右チャンネル信号について加算を行い、和信号を出力する。
また、差信号生成手段１２０２は左チャンネル信号と右チャンネル信号について減算を行い、差信号を出力する。次に、和信号エネルギ算出手段１２０３は和信号生成手段１２０１が生成した和信号のエネルギを算出する。また、差信号エネルギ算出手段１２０４は差信号生成手段１２０２が生成した差信号のエネルギを算出する。ここで、エネルギは、スペクトルにおける各成分の振幅の二乗を総和し、算出する。次に、エネルギ比算出手段１２０５は差信号のエネルギに対する和信号のエネルギの比（エネルギ比）を算出する。次に、判定手段１２０６はエネルギ比算出手段１２０５が算出したエネルギ比を所定の値と比較し、エネルギ比が所定の値より大きいとき、強度ステレオ処理を実行すると判定し、エネルギ比が所定の値より大きくないとき、強度ステレオ処理を実行しないと判定する。次に、強度ステレオフラグ制御手段１２０７は強度ステレオ処理を実行するときは強度ステレオフラグを立て、実行しないときは強度ステレオフラグを消す。したがって、図９の強度ステレオ処理手段９０５は、差信号のエネルギに対する和信号のエネルギの比が所定の値より大きいときのみ強度ステレオ処理を行う。
【００４８】
以上のように、本実施形態は、左右の信号の相関が大きいときにのみ強度ステレオ処理を行うようになっているので、高音質の符号化を行うことができることとなる。
【００４９】
（第１０実施形態）
図９は本実施形態におけるオーディオ信号符号化装置を示すブロック図である。なお、本実施形態において、負荷判定手段９０４以外の構成要件は、第７実施形態と名称および動作が同じであり、第７実施形態において説明したので、説明を省略する。
【００５０】
図１３は図９の負荷判定手段９０４を示すブロック図である。図１３において、和信号生成手段１３０１は左チャンネル信号と右チャンネル信号の和信号を生成するものである。差信号生成手段１３０２は左チャンネル信号と右チャンネル信号の差信号を生成するものである。和信号エネルギ算出手段１３０３は和信号のエネルギを算出するものである。差信号エネルギ算出手段１３０４は差信号のエネルギを算出するものである。エネルギ比算出手段１３０５は和信号と差信号のエネルギの比を算出するものである。判定手段１３０６はエネルギ比算出手段１３０５が算出したエネルギ比と閾値記憶手段１３０８が予め記憶した所定の値とを比較して和差ステレオ処理を実行するか否かを判定するものである。和差ステレオフラグ制御手段１３０７は和差ステレオ処理の動作を制御する和差ステレオフラグ（和差ステレオ処理を行うか行わないかを示すフラグ）を操作するものである。
【００５１】
以上のように構成された本実施形態のオーディオ信号符号化装置の負荷判定について、図１３を用いてその動作を説明する。まず、和信号生成手段１３０１は左チャンネル信号と右チャンネル信号について加算を行い、和信号を出力する。また、差信号生成手段１３０２は左チャンネル信号と右チャンネル信号について減算を行い、差信号を出力する。次に、和信号エネルギ算出手段１３０３は和信号生成手段１３０１が生成した和信号のエネルギを算出する。また、差信号エネルギ算出手段１３０４は差信号生成手段１３０２が生成した差信号のエネルギを算出する。ここで、エネルギは、スペクトルにおける各成分の振幅の二乗を総和し、算出する。次に、エネルギ比算出手段１３０５は差信号のエネルギに対する和信号のエネルギの比（エネルギ比）を算出する。次に、判定手段１３０６はエネルギ比算出手段１３０５が算出したエネルギ比を所定の値と比較し、エネルギ比が所定の値より大きいとき、和差ステレオ処理を実行すると判定し、エネルギ比が所定の値より大きくないとき、和差ステレオ処理を実行しないと判定する。次に、和差ステレオフラグ制御手段１３０７は和差ステレオ処理を実行するときは和差ステレオフラグを立て、実行しないときは和差ステレオフラグを消す。したがって、図９の和差ステレオ処理手段９０６は、差信号のエネルギに対する和信号のエネルギの比が所定の値より大きいときのみ和差ステレオ処理を行う。
【００５２】
以上のように、本実施形態は、左右の信号の相関が大きいときにのみ和差ステレオ処理を行うようになっているので、高音質の符号化を行うことができることとなる。
【００５３】
（第１１実施形態）
図９は本実施形態におけるオーディオ信号符号化装置を示すブロック図である。なお、本実施形態において、負荷判定手段９０４以外の構成要件は、第７実施形態と名称および動作が同じであり、第７実施形態において説明したので、説明を省略する。
【００５４】
図１４は図９の負荷判定手段９０４を示すブロック図である。図１４において、圧縮率算出手段１４０１はオーディオ信号のビットレートに対するサンプリング周波数の比（圧縮率）を算出するものである。閾値決定手段１４０２は圧縮率に基づいて後述の相関の判定に用いる閾値を決定するものである。和信号生成手段１４０３は左チャンネル信号と右チャンネル信号の和信号を生成するものである。差信号生成手段１４０４は左チャンネル信号と右チャンネル信号の差信号を生成するものである。和信号エネルギ算出手段１４０５は和信号のエネルギを算出するものである。差信号エネルギ算出手段１４０６は差信号のエネルギを算出するものである。エネルギ比算出手段１４０７は和信号と差信号のエネルギの比を算出するものである。判定手段１４０８はエネルギ比算出手段１４０７が算出したエネルギ比を閾値決定手段１４０２が決定した閾値と比較して強度ステレオ処理を実行するか否かを判定するものである。強度ステレオフラグ制御手段１４０９は強度ステレオ処理の動作を制御する強度ステレオフラグ（強度ステレオ処理を行うか行わないかを示すフラグ）を操作するものである。
【００５５】
以上のように構成された本実施形態のオーディオ信号符号化装置の負荷判定について、図１４を用いてその動作を説明する。まず、圧縮率算出手段１４０１は、オーディオ信号のビットレートとサンプリング周波数の値を入力し、ビットレートとサンプリング周波数とに基づいて圧縮率を算出する。具体的には、圧縮率＝量子化ビット数×サンプリング周波数×チャンネル数／ビットレートとして算出する。ここで、サンプリング周波数は、オーディオ信号符号化装置が外部から入力するオーディオ信号のサンプリングの周波数であって、すなわち、図９の窓長選択手段９０１が入力するオーディオ信号のサンプリング周波数である。また、ビットレートは、生成されるビットストリームのビットレートであって、すなわち、図９のストリーム生成手段９０８が出力するビットストリームの所定のビットレートである。なお、量子化ビット数（例えば１６ｂｉｔ）、および、チャンネル数（左チャンネルと右チャンネルで合計が２）は固定値であるから、量子化ビット数およびチャンネル数は無視し、圧縮率＝サンプリング周波数／ビットレートとして算出するようにしてもよい。次に、閾値決定手段１４０２は、圧縮率算出手段１４０１が算出した圧縮率に基づいて、判定手段１４０８で使用する閾値を決定する。なお、閾値は、圧縮率が所定の値より小さいときの閾値（第１の閾値）を、圧縮率が所定の値より大きいときの閾値（第２の閾値）より大きくする。次に、和信号生成手段１４０３は左チャンネル信号と右チャンネル信号について加算を行い、和信号を出力する。また、差信号生成手段１４０４は左チャンネル信号と右チャンネル信号について減算を行い、差信号を出力する。次に、和信号エネルギ算出手段１４０５は和信号生成手段１４０３が生成した和信号のエネルギを算出する。また、差信号エネルギ算出手段１４０６は差信号生成手段１４０４が生成した差信号のエネルギを算出する。ここで、エネルギは、スペクトルにおける各成分の振幅の二乗を総和し、算出する。次に、エネルギ比算出手段１４０７は差信号のエネルギに対する和信号のエネルギの比（エネルギ比）を算出する。次に、判定手段１４０８は、エネルギ比算出手段１４０７が算出したエネルギ比を閾値決定手段１４０２が決定した閾値と比較し、エネルギ比が閾値より大きいとき、強度ステレオ処理を実行すると判定し、エネルギ比が閾値より大きくないとき、強度ステレオ処理を実行しないと判定する。次に、強度ステレオフラグ制御手段１４０９は強度ステレオ処理を実行するときは強度ステレオフラグを立て、実行しないときは強度ステレオフラグを消す。したがって、図９の強度ステレオ処理手段９０５は、差信号のエネルギに対する和信号のエネルギの比が閾値より大きいときのみ強度ステレオ処理を行う。
【００５６】
以上のように、本実施形態は、圧縮率が小さい場合、エネルギ比が非常に大きいときのみ強度ステレオ処理を行い、圧縮率が大きい場合、エネルギ比が多少小さくても強度ステレオ処理を行うようにすることができ、高音質の符号化を行うことができることとなる。
【００５７】
（第１２実施形態）
図９は本実施形態におけるオーディオ信号符号化装置を示すブロック図である。なお、本実施形態において、負荷判定手段９０４以外の構成要件は、第７実施形態と名称および動作が同じであり、第７実施形態において説明したので、説明を省略する。
【００５８】
図１５は図９の負荷判定手段９０４を示すブロック図である。図１５において、圧縮率算出手段１５０１はオーディオ信号のビットレートに対するサンプリング周波数の比（圧縮率）を算出するものである。閾値決定手段１５０２は圧縮率に基づいて後述の相関の判定に用いる閾値を決定するものである。和信号生成手段１５０３は左チャンネル信号と右チャンネル信号の和信号を生成するものである。差信号生成手段１５０４は左チャンネル信号と右チャンネル信号の差信号を生成するものである。和信号エネルギ算出手段１５０５は和信号のエネルギを算出するものである。差信号エネルギ算出手段１５０６は差信号のエネルギを算出するものである。エネルギ比算出手段１５０７は和信号と差信号のエネルギの比を算出するものである。判定手段１５０８はエネルギ比算出手段１５０７が算出したエネルギ比を閾値決定手段１５０２が決定した閾値と比較して和差ステレオ処理を実行するか否かを判定するものである。和差ステレオフラグ制御手段１５０９は和差ステレオ処理の動作を制御する和差ステレオフラグ（和差ステレオ処理を行うか行わないかを示すフラグ）を操作するものである。
【００５９】
以上のように構成された本実施形態のオーディオ信号符号化装置の負荷判定について、図１５を用いてその動作を説明する。まず、圧縮率算出手段１５０１は、オーディオ信号のビットレートとサンプリング周波数の値を入力し、ビットレートとサンプリング周波数とに基づいて圧縮率を算出する。具体的には、圧縮率＝量子化ビット数×サンプリング周波数×チャンネル数／ビットレートとして算出する。ここで、サンプリング周波数は、オーディオ信号符号化装置が外部から入力するオーディオ信号のサンプリングの周波数であって、すなわち、図９の窓長選択手段９０１が入力するオーディオ信号のサンプリング周波数である。また、ビットレートは、生成されるビットストリームのビットレートであって、すなわち、図９のストリーム生成手段９０８が出力するビットストリームの所定のビットレートである。なお、量子化ビット数（例えば１６ｂｉｔ）、および、チャンネル数（左チャンネルと右チャンネルで合計が２）は固定値であるから、量子化ビット数およびチャンネル数は無視し、圧縮率＝サンプリング周波数／ビットレートとして算出するようにしてもよい。次に、閾値決定手段１５０２は、圧縮率算出手段１５０１が算出した圧縮率に基づいて、判定手段１５０８で使用する閾値を決定する。なお、閾値は、圧縮率が所定の値より小さいときの閾値（第１の閾値）を、圧縮率が所定の値より大きいときの閾値（第２の閾値）より大きくする。次に、和信号生成手段１５０３は左チャンネル信号と右チャンネル信号について加算を行い、和信号を出力する。また、差信号生成手段１５０４は左チャンネル信号と右チャンネル信号について減算を行い、差信号を出力する。次に、和信号エネルギ算出手段１５０５は和信号生成手段１５０３が生成した和信号のエネルギを算出する。また、差信号エネルギ算出手段１５０６は差信号生成手段１５０４が生成した差信号のエネルギを算出する。ここで、エネルギは、スペクトルにおける各成分の振幅の二乗を総和し、算出する。次に、エネルギ比算出手段１５０７は差信号のエネルギに対する和信号のエネルギの比（エネルギ比）を算出する。次に、判定手段１５０８は、エネルギ比算出手段１５０７が算出したエネルギ比を閾値決定手段１５０２が決定した閾値と比較し、エネルギ比が閾値より大きいとき、和差ステレオ処理を実行すると判定し、エネルギ比が閾値より大きくないとき、和差ステレオ処理を実行しないと判定する。次に、和差ステレオフラグ制御手段１５０９は和差ステレオ処理を実行するときは和差ステレオフラグを立て、実行しないときは和差ステレオフラグを消す。したがって、図９の和差ステレオ処理手段９０６は、差信号のエネルギに対する和信号のエネルギの比が閾値より大きいときのみ和差ステレオ処理を行う。
【００６０】
以上のように、本実施形態は、圧縮率が小さい場合、エネルギ比が非常に大きいときのみ強度ステレオ処理を行い、圧縮率が大きい場合、エネルギ比が多少小さくても強度ステレオ処理を行うようにすることができ、高音質の符号化を行うことができることとなる。
【００６１】
また、以上説明した第１実施形態から第１２実施形態のオーディオ信号符号化方法およびオーディオ信号符号化装置を用いて音楽配信を行う。本発明の音楽配信方法は、前述のオーディオ信号符号化方法によってオーディオ信号を符号化し、生成されたビットストリームからなる音楽データを、インターネット、移動体通信網、その他のネットワークを介して配信する。また、本発明の音楽配信システムは、少なくとも、前述のオーディオ信号符号化装置と、前述のオーディオ信号符号化装置がオーディオ信号を符号化して生成したビットストリームからなる音楽データをインターネット、移動通信網、その他のネットワークに送出（配信）する通信装置とを備える。
【００６２】
【発明の効果】
本発明は、音質の劣化が少なく高音質の符号化を行うことができるという優れた効果を有するオーディオ信号符合化方法およびオーディオ信号符号化装置を提供することができるものである。
【図面の簡単な説明】
【図１】本発明に係るオーディオ信号符号化方法を示すフローチャート
【図２】第１実施形態における負荷判定処理を示すフローチャート
【図３】第２実施形態における負荷判定処理を示すフローチャート
【図４】第３実施形態における負荷判定処理を示すフローチャート
【図５】第４実施形態における負荷判定処理を示すフローチャート
【図６】第５実施形態における負荷判定処理を示すフローチャート
【図７】第６実施形態における負荷判定処理を示すフローチャート
【図８】従来のオーディオ信号符号化方法を示すフローチャート
【図９】本発明に係るオーディオ信号符号化装置を示すブロック図
【図１０】第７実施形態における負荷判定手段を示すブロック図
【図１１】第８実施形態における負荷判定手段を示すブロック図
【図１２】第９実施形態における負荷判定手段を示すブロック図
【図１３】第１０実施形態における負荷判定手段を示すブロック図
【図１４】第１１実施形態における負荷判定手段を示すブロック図
【図１５】第１２実施形態における負荷判定手段を示すブロック図
【符号の説明】
９０１  窓長選択手段
９０２  聴覚心理モデル
９０３  ＭＤＣＴフィルタ
９０４  負荷判定手段
９０５  強度ステレオ処理手段
９０６  和差ステレオ処理手段
９０７  量子化手段
９０８  ストリーム生成手段
１００１  圧縮率算出手段
１００２  判定手段
１００３  強度ステレオフラグ制御手段
１００４  閾値記憶手段
１１０１  圧縮率算出手段
１１０２  判定手段
１１０３  和差ステレオフラグ制御手段
１１０４  閾値記憶手段
１２０１  和信号生成手段
１２０２  差信号生成手段
１２０３  和信号エネルギ算出手段
１２０４  差信号エネルギ算出手段
１２０５  エネルギ比算出手段
１２０６  判定手段
１２０７  強度ステレオフラグ制御手段
１２０８  閾値記憶手段
１３０１  和信号生成手段
１３０２  差信号生成手段
１３０３  和信号エネルギ算出手段
１３０４  差信号エネルギ算出手段
１３０５  エネルギ比算出手段
１３０６  判定手段
１３０７  和差ステレオフラグ制御手段
１３０８  閾値記憶手段
１４０１  圧縮率算出手段
１４０２  閾値決定手段
１４０３  和信号生成手段
１４０４  差信号生成手段
１４０５  和信号エネルギ算出手段
１４０６  差信号エネルギ算出手段
１４０７  エネルギ比算出手段
１４０８  判定手段
１４０９  強度ステレオフラグ制御手段
１５０１  圧縮率算出手段
１５０２  閾値決定手段
１５０３  和信号生成手段
１５０４  差信号生成手段
１５０５  和信号エネルギ算出手段
１５０６  差信号エネルギ算出手段
１５０７  エネルギ比算出手段
１５０８  判定手段
１５０９  和差ステレオフラグ制御手段
【図１】
0004618873.tif 000002
【図２】
0004618873.tif 000003
【図３】
0004618873.tif 000004
【図４】
0004618873.tif 000005
【図５】
0004618873.tif 000006
【図６】
0004618873.tif 000007
【図７】
0004618873.tif 000008
【図８】
0004618873.tif 000009
【図９】
0004618873.tif 000010
【図１０】
0004618873.tif 000011
【図１１】
0004618873.tif 000012
【図１２】
0004618873.tif 000013
【図１３】
0004618873.tif 000014
【図１４】
0004618873.tif 000015
【図１５】
0004618873.tif 000016